(57)【要約】      （修正有）【課題】主として、鉄心及び高圧コイル、低圧コイルの組立プロセスを簡素化することができ、変圧器の品質向上に有利な、迅速組立式変圧器及びその非対称二分割巻鉄心構造を提供する。【解決手段】迅速組立式変圧器における非対称二分割巻鉄心構造１は、第１の鉄心セット１０と、第２の鉄心セット２０とを含む。第１の鉄心セット１０及び第２の鉄心セット２０は、それぞれ鉄心基部と、鉄心基部から延在形成されると共に間隔を置いて配列された複数の鉄心接続部とを含む。鉄心接続部の末端には、第１および第２の切欠き部１０ｃ，２０ｃが形成されている。第１の鉄心セット１０における第１の切欠き部１０ｃから鉄心基部までの距離は、第２の鉄心セット２０における第２の切欠き部２０ｃから鉄心基部までの距離よりも短い。これにより、変圧器の生産効率を向上させることができる。【選択図】図２
0003200723.tif 000002
【実用新案登録請求の範囲】
【請求項１】
第１の鉄心基部と、前記第１の鉄心基部から延在形成されると共に間隔を置いて配列されており、末端に第１の切欠き部が形成されている複数の第１の鉄心接続部と、を含む第１の鉄心セットと、
前記第１の鉄心セットと互いに組み付けられ、第２の鉄心基部と、前記第２の鉄心基部から延在形成されると共に前記複数の第１の鉄心接続部に対向しており、末端に前記第１の切欠き部に対応する第２の切欠き部が形成されている複数の第２の鉄心接続部と、を含む第２の鉄心セットと、
を含み、
各前記第１の切欠き部から前記第１の鉄心基部までの距離が各前記第２の切欠き部から前記第２の鉄心基部までの距離よりも短いことを特徴とする非対称二分割巻鉄心構造。
【請求項２】
前記第１の鉄心セットは、第１の外鉄心と、前記第１の外鉄心の内側に収容されると共に互いに隣接して並列した複数の第１の内鉄心とから成り、
前記第２の鉄心セットは、前記第１の外鉄心に対向する第２の外鉄心と、前記複数の第１の内鉄心に対向しており、前記第２の外鉄心の内側に収容されると共に互いに隣接して並列した複数の第２の内鉄心とから成る、
ことを特徴とする請求項１に記載の非対称二分割巻鉄心構造。
【請求項３】
前記第１の外鉄心は、第１の外鉄心連続部と、前記第１の外鉄心連続部の両端から湾曲して延在された２つの第１の外鉄心突合せ接続部とを有し、
各前記第１の内鉄心は、第１の内鉄心連続部と、前記第１の内鉄心連続部の両端から湾曲して延在された２つの第１の内鉄心突合せ接続部とを有し、
前記第１の外鉄心連続部と前記複数の第１の内鉄心連続部とが接続されることで前記第１の鉄心基部が構成され、
前記２つの第１の外鉄心突合せ接続部のそれぞれが、隣接する前記複数の第１の内鉄心突合せ接続部の一つと接続されることで一部の前記複数の第１の鉄心接続部が構成され、互いに隣接する他の前記複数の第１の内鉄心突合せ接続部同士が接続されることで他の前記複数の第１の鉄心接続部が構成される、
ことを特徴とする請求項２に記載の非対称二分割巻鉄心構造。
【請求項４】
前記第２の外鉄心は、第２の外鉄心連続部と、前記第２の外鉄心連続部の両端から湾曲して延在された２つの第２の外鉄心突合せ接続部とを有し、
各前記第２の内鉄心は、第２の内鉄心連続部と、前記第２の内鉄心連続部の両端から湾曲して延在された２つの第２の内鉄心突合せ接続部とを有し、
前記第２の外鉄心連続部と前記第２の内鉄心連続部とが接続されることで前記第２の鉄心基部が構成され、
前記２つの第２の外鉄心突合せ接続部のそれぞれが、隣接する前記複数の第２の内鉄心突合せ接続部の一つと接続されることで一部の前記複数の第２の鉄心接続部が構成され、互いに隣接する他の前記複数の第２の内鉄心突合せ接続部同士が接続されることで他の部分の前記複数の第２の鉄心接続部が構成される、
ことを特徴とする請求項３に記載の非対称二分割巻鉄心構造。
【請求項５】
前記２つの第１の外鉄心突合せ接続部、前記複数の第１の内鉄心突合せ接続部、前記２つの第２の外鉄心突合せ接続部及び前記複数の第２の内鉄心突合せ接続部のそれぞれは、その末端に階段状段差が形成されており、
前記２つの第１の外鉄心突合せ接続部の前記階段状段差のそれぞれが、対応する前記複数の第２の外鉄心突合せ接続部の一つに重ね継ぎされ、前記複数の第１の内鉄心突合せ接続部の前記階段状段差のそれぞれが、対応する前記複数の第２の内鉄心突合せ接続部の一つに重ね継ぎされる、
ことを特徴とする請求項４に記載の非対称二分割巻鉄心構造。
【請求項６】
前記第１の外鉄心、前記第２の外鉄心、各前記第１の内鉄心及び各前記第２の内鉄心は、所定数の珪素鋼板が積層されて成ることを特徴とする請求項２に記載の非対称二分割巻鉄心構造。
【請求項７】
迅速組立式変圧器において、
非対称二分割巻鉄心構造であって、第１の鉄心基部と、前記第１の鉄心基部から延在形成されると共に間隔を置いて配列されており、末端に第１の切欠き部が形成されている複数の第１の鉄心接続部と、を含む第１の鉄心セットと、
前記第１の鉄心セットと互いに組み付けられ、第２の鉄心基部と、前記第２の鉄心基部から延在形成されると共に前記複数の第１の鉄心接続部に対向しており、末端に前記第１の切欠き部に対応する第２の切欠き部が形成されている複数の第２の鉄心接続部と、を含む第２の鉄心セットと、
を含み、
各前記第１の切欠き部から前記第１の鉄心基部までの距離が各前記第２の切欠き部から前記第２の鉄心基部までの距離よりも短い、非対称二分割巻鉄心構造と、
任意の前記第１の切欠き部及びそれに対応する前記第２の切欠き部を介して前記第１の鉄心基部と前記第２の鉄心基部との間に設けられると共に、対応する前記第１の鉄心接続部及び前記第２の鉄心接続部に巻回される、少なくとも１つのコイル構造と、
を含むことを特徴とする迅速組立式変圧器。
【請求項８】
前記コイル構造は、前記第１の鉄心基部に隣接する開口を有しており、
前記開口は、対応する前記第１の切欠き部と前記第２の切欠き部との接合位置に隣接することを特徴とする請求項７に記載の迅速組立式変圧器。
【請求項９】
前記第１の鉄心セットは、第１の外鉄心と、前記第１の外鉄心の内側に収容されると共に互いに隣接して並列した複数の第１の内鉄心とから成り、
前記第２の鉄心セットは、前記第１の外鉄心に対向する第２の外鉄心と、前記複数の第１の内鉄心に対向しており、前記第２の外鉄心の内側に収容されると共に互いに隣接して並列した複数の第２の内鉄心とから成る、
ことを特徴とする請求項７に記載の迅速組立式変圧器。
【請求項１０】
前記第１の外鉄心は、第１の外鉄心連続部と、前記第１の外鉄心連続部の両端から湾曲して延在された２つの第１の外鉄心突合せ接続部とを有し、
各前記第１の内鉄心は、第１の内鉄心連続部と、前記第１の内鉄心連続部の両端から湾曲して延在された２つの第１の内鉄心突合せ接続部とを有し、
前記第１の外鉄心連続部と前記複数の第１の内鉄心連続部とが接続されることで前記第１の鉄心基部が構成され、
前記２つの第１の外鉄心突合せ接続部のそれぞれが、隣接する前記複数の第１の内鉄心突合せ接続部の一つと接続されることで一部の前記複数の第１の鉄心接続部が構成され、互いに隣接する他の前記複数の第１の内鉄心突合せ接続部同士が接続されることで他の前記複数の第１の鉄心接続部が構成される、
ことを特徴とする請求項９に記載の迅速組立式変圧器。
【請求項１１】
前記第２の外鉄心は、第２の外鉄心連続部と、前記第２の外鉄心連続部の両端から湾曲して延在された２つの第２の外鉄心突合せ接続部とを有し、
各前記第２の内鉄心は、第２の内鉄心連続部と、前記第２の内鉄心連続部の両端から湾曲して延在された２つの第２の内鉄心突合せ接続部とを有し、
前記第２の外鉄心連続部と前記第２の内鉄心連続部とが接続されることで前記第２の鉄心基部が構成され、
前記２つの第２の外鉄心突合せ接続部のそれぞれが、隣接する前記複数の第２の内鉄心突合せ接続部の一つと接続されることで一部の前記複数の第２の鉄心接続部が構成され、互いに隣接する他の前記複数の第２の内鉄心突合せ接続部同士が接続されることで他の前記複数の第２の鉄心接続部が構成される、
ことを特徴とする請求項１０に記載の迅速組立式変圧器。
【請求項１２】
前記２つの第１の外鉄心突合せ接続部、前記複数の第１の内鉄心突合せ接続部、前記２つの第２の外鉄心突合せ接続部及び前記複数の第２の内鉄心突合せ接続部のそれぞれは、その末端に階段状段差が形成されており、
前記２つの第１の外鉄心突合せ接続部の前記階段状段差のそれぞれが、対応する前記複数の第２の外鉄心突合せ接続部の一つに重ね継ぎされ、前記複数の第１の内鉄心突合せ接続部の前記階段状段差のそれぞれが、対応する前記複数の第２の内鉄心突合せ接続部の一つに重ね継ぎされる、
ことを特徴とする請求項１１に記載の迅速組立式変圧器。
【請求項１３】
前記第１の外鉄心、前記第２の外鉄心、各前記第１の内鉄心及び各前記第２の内鉄心は、所定数の珪素鋼板が積層されて成ることを特徴とする請求項９に記載の迅速組立式変圧器。
【考案の詳細な説明】
【技術分野】
【０００１】
本考案は、電源変圧器及びその鉄心に関し、特に迅速組立式変圧器及びその非対称二分割巻鉄心構造に関する。
【背景技術】
【０００２】
電力システムにおいて、変圧器は電力の伝送及び変換に不可欠である重要な装置である。変圧器は、主として電磁誘導によってエネルギーをある回路から別の回路に移すものであり、その素子に相対運動が生じることはない。変圧器の主な用途としては、電圧の変換、インピーダンスの変換及び回路の分割等が挙げられる。電力輸送において、変圧器は、電気エネルギーを高電圧低電流の形式に変換し、その後更にもとに変換し直すことが可能である。従って、電気エネルギーの輸送過程における損失を大幅に低減することができ、電気エネルギーの輸送距離を更に遠くまで伸ばすことができる。
【０００３】
図１に示すように、従来の巻鉄心型変圧器においては、通常、一体型巻鉄心又は対称二分割巻鉄心構造１’が設けられている。対称二分割巻鉄心構造１’は、構造上互いに対称となる上鉄心セット１０’と下鉄心セット２０’とから成り、上鉄心セット１０’及び下鉄心セット２０’は、それぞれ１つの外鉄心及び外鉄心内に並列に設けられた少なくとも２つの内鉄心を含む（図示せず）。対称二分割巻鉄心構造１’には、更にコイル３０’が巻回される。コイル３０’は、２つ以上の巻線を有し、そのうちの１つの巻線に交流電源が印加されると、鉄心の磁束の変化によって、その他の巻線に誘起電圧を発生させることができる。
【０００４】
しかしながら、従来の変圧器では、組立時に、コイル３０’は通常、横置き式の組立方法で一体型巻鉄心又は対称二分割巻鉄心構造１’を分解した上で、順次高圧コイル、低圧コイルに入れることで形成されるため、組立に要する作業時間が長くなり、更に、鉄心には防錆剤を完全に塗布することができないため、変圧器の品質及び使用寿命に悪影響を及ぼす問題があった。
【０００５】
従って、変圧器の組立効率を如何にして向上させるかが、生産、製造、研究開発の各部門において解決が待たれる重要な問題となっている。
【考案の概要】
【考案が解決しようとする課題】
【０００６】
本考案は、主として、鉄心及び高圧コイル、低圧コイルの組立プロセスを簡素化することができ、変圧器の品質向上に有利な、迅速組立式変圧器及びその非対称二分割巻鉄心構造を提供することを課題とする。
【課題を解決するための手段】
【０００７】
上述した課題を解決するために、本考案に係る非対称二分割巻鉄心構造は、第１の鉄心セットと、第２の鉄心セットとを含む。第１の鉄心セットは、第１の鉄心基部と、第１の鉄心基部から延在形成されると共に間隔を置いて配列された複数の第１の鉄心接続部とを含み、各第１の鉄心接続部の末端に第１の切欠き部が形成されている。第２の鉄心セットは、第１の鉄心セットと互いに組み付けられ、第２の鉄心基部と、第２の鉄心基部から延在形成されると共に複数の第１の鉄心接続部に対向する複数の第２の鉄心接続部とを含み、各第２の鉄心接続部の末端に第１の切欠き部に対応する第２の切欠き部が形成されている。各第１の切欠き部から第１の鉄心基部までの距離は、各第２の切欠き部から第２の鉄心基部までの距離よりも短い。
【０００８】
本考案に係る迅速組立式変圧器は、上述した非対称二分割巻鉄心構造と、少なくとも１つのコイル構造とを含む。第１の鉄心セットは、第１の鉄心基部と、第１の鉄心基部から延在形成されると共に間隔を置いて配列された複数の第１の鉄心接続部とを含み、各第１の鉄心接続部の末端に第１の切欠き部が形成されている。第２の鉄心セットは、第１の鉄心セットと互いに組み付けられ、第２の鉄心基部と、第２の鉄心基部から延在形成されると共に間隔を置いて配列された複数の第２の鉄心接続部とを含み、各第２の鉄心接続部の末端に第１の切欠き部に対応する第２の切欠き部が形成されている。各第１の切欠き部から第１の鉄心基部までの距離は、各第２の切欠き部から第２の鉄心基部までの距離よりも短い。コイル構造は、任意の第１の切欠き部及びそれに対応する第２の切欠き部を介して第１の鉄心基部と第２の鉄心基部との間に設けられると共に、対応する第１の鉄心接続部及び第２の鉄心接続部に巻回される。
【考案の効果】
【０００９】
本考案は、第１の鉄心セットが第２の鉄心セットと互いに組み付けられ、各第１の切欠き部から第１の鉄心基部までの距離が各第２の切欠き部から第２の鉄心基部までの距離よりも短い構成、即ち分割された第１の鉄心セットと第２の鉄心セットとが非対称となる構成としたことによって、高圧コイル、低圧コイルの組立時に、積層された鉄心薄板を一枚ずつに分けて高圧コイル、低圧コイルに入れる必要がなく、長尺状の鉄心薄片の束を基礎として、高圧コイル、低圧コイルを直接嵌め込んで位置決めすることができる。従って、変圧器の生産効率を大幅に向上させることができる。
【００１０】
更に、鉄心には、錆が生じないように防錆剤を完全に塗布することができるため、変圧器の品質及び使用寿命を向上させることができる。
【図面の簡単な説明】
【００１１】
【図１】従来の変圧器を示した図である。
【図２】本考案に係る非対称二分割巻鉄心構造の１つの態様を示した分解斜視図である。
【図３】本考案に係る非対称二分割巻鉄心構造の１つの態様を示した斜視図である。
【図４】本考案に係る非対称二分割巻鉄心構造の１つの態様を示した側面図である。
【図５】本考案に係る迅速組立式変圧器の分解斜視図である。
【図６】本考案に係る迅速組立式変圧器の斜視図である。
【図７】本考案に係る非対称二分割巻鉄心構造の他の態様を示した側面図である。
【考案を実施するための形態】
【００１２】
従来の変圧器における鉄心には構造上改善の余地があることに鑑み、本考案は、新規な構造を有する変圧器の鉄心を提供する。以下、好ましい実施例を用いて、図面を参照しながら、本考案の新規な構造及び利点を詳述する。
【００１３】
図２乃至図４は、本考案の好ましい実施例を示した図である。本考案に係る非対称二分割巻鉄心構造１は、主として第１の鉄心セット１０と第２の鉄心セット２０とが互いに組み付けられて成る。
【００１４】
第１の鉄心セット１０は、第１の鉄心基部１０ａと、複数の第１の鉄心接続部１０ｂとを含む。複数の第１の鉄心接続部１０ｂは、第１の鉄心基部１０ａにおける第２の鉄心セット２０に対向する一側から延在して形成される。互いに隣り合う任意の２つの第１の鉄心接続部１０ｂ同士の間は、所定の間隔（図示せず）を有する。各第１の鉄心接続部１０ｂの末端は、切断されることで第１の切欠き部１０ｃが形成されている。当業者であれば、この所定の間隔は特に限定されず、変圧器の特性（例えば負荷特性）に応じて調整できることを理解することができる。
【００１５】
第２の鉄心セット２０の構造は、第１の鉄心セット１０と似ており、第２の鉄心基部２０ａと、複数の第２の鉄心接続部２０ｂとを含む。複数の第２の鉄心接続部２０ｂは、第２の鉄心基部２０ａの一側から延在して形成されると共に、複数の第１の鉄心接続部１０ｂと対応している。各第２の鉄心接続部２０ｂの末端は、切断されることで第２の切欠き部２０ｃが形成されている。本考案は、非対称となる組み付け構成を採用している。即ち、第１の鉄心セット１０と第２の鉄心セット２０とでは長さが異なり、各第２の切欠き部２０ｃから第２の鉄心基部２０ａまでの距離ｄ２が各第１の切欠き部１０ｃから第１の鉄心基部１０ａまでの距離ｄ１よりも長い（図４を参照）。
【００１６】
図３及び図４に示すように、本実施例において、第１の鉄心セット１０は、第１の外鉄心１１と複数の第１の内鉄心１２とから成る。複数の第１の内鉄心１２は、第１の外鉄心１１の内側に収容されると共に互いに隣接して並列している。第２の鉄心セット２０は、第１の外鉄心１１と対向する第２の外鉄心２１と、複数の第１の内鉄心１２と対向する複数の第２の内鉄心２２とから成る。複数の第２の内鉄心２２は、第２の外鉄心２１の内側に収容されると共に互いに隣接して並列している。
【００１７】
第１の外鉄心１１、第１の内鉄心１２、第２の外鉄心２１及び第２の内鉄心２２は、電磁誘導に必要な磁路に基づいて適切な厚さを有することができる。換言すれば、第１の外鉄心１１、第１の内鉄心１２、第２の外鉄心２１及び第２の内鉄心２２は、それぞれが所定数の鉄心板が積層されて成る鉄心薄板の束であり、鉄心板の材質は、珪素鋼であってもよいが、本考案はこれに限定されず、透磁率が高い、鉄心の損失が小さい、機械強度が高い、加工しやすい、安価であるといった特性を満たす材料であればいずれも本考案に適用することができる。
【００１８】
更に言えば、第１の外鉄心１１の外観は、略Ｕ字形である。具体的には、第１の外鉄心１１は、長尺形状の第１の外鉄心連続部１１１と、第１の外鉄心連続部１１１の両端から湾曲して延在された２つの第１の外鉄心突合せ接続部１１２とを有する。第１の外鉄心突合せ接続部１１２は、並列した複数の第１の内鉄心１２の外縁に沿って湾曲すると共に、末端に階段状段差１１２１が形成されている。第１の外鉄心連続部１１１は、複数の第１の内鉄心１２を設けることができるように、第１の外鉄心突合せ接続部１１２と共同で収容空間（図示せず）を構成する。第１の内鉄心１２は、上述した収容空間内に緊密に配置される。各第１の内鉄心１２の外観は、略Ｕ字形である。具体的には、各第１の内鉄心１２は、長尺状の第１の内鉄心連続部１２１と、第１の内鉄心連続部１２１の両端から湾曲して延在された２つの第１の内鉄心突合せ接続部１２２を有する。各第１の内鉄心突合せ接続部１２２の末端にも階段状段差１２２１が形成されている。
【００１９】
更に、鉄心の機械強度及び構造上の安定性を向上させるために、固定バンド（図示せず）を用いて第１の外鉄心１１と第１の内鉄心１２とを束ねることができる。この方法によれば、第１の内鉄心連続部１２１が第１の外鉄心連続部１１１と接続することで第１の鉄心基部１０ａが構成され、第１の外鉄心突合せ接続部１１２が隣接する一部の第１の内鉄心突合せ接続部１２２と接続することで一部の第１の鉄心接続部１０ｂが構成され、互いに隣接する他の第１の内鉄心突合せ接続部１２２同士を接続することで他の部分の第１の鉄心接続部１０ｂが構成される。最も好ましくは、第１の切欠き部１０ｃは、第１の外鉄心突合せ接続部１１２の階段状段差１１２１及び／又は第１の内鉄心突合せ接続部１２２の階段状段差１２２１を含む。
【００２０】
また、第２の外鉄心２１の構造は第１の外鉄心１１と似ており、その外観も略Ｕ字形である。具体的には、第２の外鉄心２１は、長尺形状の第２の外鉄心連続部２１１と、第２の外鉄心連続部２１１の両端から湾曲して延在された２つの第２の外鉄心突合せ接続部２１２とから成る。第２の外鉄心突合せ接続部２１２は、並列した複数の第２の内鉄心２２の外縁に沿って湾曲すると共に、末端に階段状段差２１２１が形成されている。第２の外鉄心突合せ接続部２１２の長さは、第１の外鉄心突合せ接続部１１２の長さに比べて長い。第２の外鉄心連続部２１１は、複数の第２の内鉄心２２を設けることができるように、第２の外鉄心突合せ接続部２１２と共同で収容空間（図示せず）を構成する。
【００２１】
第２の内鉄心２２は、収容空間に収容され、各第２の内鉄心２２の外観は、略Ｕ字形である。具体的には、第２の内鉄心２２は、長尺形状の第２の内鉄心連続部２２１と、第２の内鉄心連続部２２１の両端から湾曲して延在された２つの第２の内鉄心突合せ接続部２２２とから成る。各第２の内鉄心突合せ接続部２２２の末端にも階段状段差２２２１が形成されている。
【００２２】
同様に、固定バンド（図示せず）を用いて第２の外鉄心２１と第２の内鉄心２２とを束ねることができる。この方法によれば、第２の内鉄心連続部２２１が第２の外鉄心連続部２１１と接続することで第２の鉄心基部２０ａが構成され、第２の外鉄心突合せ接続部２１２が隣接する一部の第２の内鉄心突合せ接続部２２２と接続することで一部の第２の鉄心接続部２０ｂが構成され、互いに隣接する他の第２の内鉄心突合せ接続部２２２同士を接続することで他の第２の鉄心接続部２０ｂが構成される。最も好ましくは、第２の切欠き部２０ｃは、第２の外鉄心突合せ接続部２１２の階段状段差２１２１及び／又は第２の内鉄心突合せ接続部２２２の階段状段差２２２１を含む。
【００２３】
以上、非対称二分割巻鉄心構造１の主要な特徴を説明した。以下、非対称二分割巻鉄心構造１を適用した迅速組立式変圧器の製作について説明する。
【００２４】
図５及び図６に示すように、本実施例において、迅速組立式変圧器Ｔは、以下のステップに基づいて製作することができる。
【００２５】
ステップ１：第２の鉄心セット２０に防錆剤を塗布する。塗布が完了した後、帯板３０及び下側のクランプ部材４０を用いて、第２の鉄心セット２０を、直立させた状態で作業プラットフォーム５０の上に固定する。
【００２６】
ステップ２：少なくとも１つのコイル構造Ｃを第２の鉄心セット２０に直接嵌め込んで位置決めする。コイル構造Ｃには、低圧コイル及び高圧コイル（図示せず）が含まれる。低圧コイル及び高圧コイルは、第２の鉄心セット２０の第２の鉄心接続部２０ｂに順次巻回される。コイル構造Ｃを第２の切欠き部２０ｃを介して直接第２の鉄心セット２０に嵌め込むことができるため、従来の組立方法に比べて、鉄心を分解した後、数回に分けて高圧コイル、低圧コイルに入れる必要がないため、組立時間を大幅に短縮することができる。
【００２７】
ステップ３：上方から、第１の鉄心セット１０（短尺鉄心）を第２の鉄心セット２０（長尺鉄心）と一体に組立て、完全なフレーム体とする。フレーム体には、閉じた鉄心（閉回路）を形成してもよい。好ましい組立方法としては、まず第１の鉄心セット１０における複数の第１の内鉄心１２を、第２の鉄心セット２０から離れた位置から第２の鉄心セット２０に近づく方向に運び、第２の鉄心セット２０における複数の第２の内鉄心２２と互いに組み付ける。第１の内鉄心１２と第２の内鉄心２２との組み付けが完了した後、次いで第１の鉄心セット１０における第１の外鉄心１１を、第２の鉄心セット２０から離れた位置から第２の鉄心セット２０に近づく方向に運び、第２の鉄心セット２０における第２の外鉄心２１と互いに組み付ける。
【００２８】
図３及び図４に示すように、第１の鉄心セット１０と第２の鉄心セット２０との組立時に、第１の切欠き部１０ｃと第２の切欠き部２０ｃとは緊密に接合される。第１の外鉄心１１の階段状段差１１２１は、第２の外鉄心２１の階段状段差２１２１上に重ね継ぎされることで単一の鉄心部分を形成する。第１の内鉄心１２の階段状段差１２２１は、第２の内鉄心２２の階段状段差２２２１上に重ね継ぎされることで別の鉄心部分を形成する。
【００２９】
ステップ４：上側のクランプ部材と低圧用銅ブスバー等の関連部材（図示せず）を組み付ける。これにより、変圧器が完成する。
【００３０】
図２乃至図４に示す非対称二分割巻鉄心構造１において、第１の鉄心接続部１０ｂ及び第２の鉄心接続部２０ｂの数は３つであるが、本実施例の他の態様において、非対称二分割巻鉄心構造１に含まれる第１の鉄心接続部１０ｂ及び第２の鉄心接続部２０ｂの数は３つ以上であってもよい。
【００３１】
例えば、図７に示すように、非対称二分割巻鉄心構造１において、第１の鉄心接続部１０ｂ及び第２の鉄心接続部２０ｂの数は４つである。従って、図２乃至図４に示した第１の鉄心接続部１０ｂ及び第２の鉄心接続部２０ｂの数は例示するためのものに過ぎず、本考案を限定するものではない。第１の鉄心接続部１０ｂ及び第２の鉄心接続部２０ｂの数は、巻線の数が増えるにしたがって追加してもよい。
【００３２】
このように、本考案は、従来の変圧器及びその鉄心と比べて、少なくとも以下の利点を有する。
【００３３】
まず、本考案は、第１の鉄心セットが第２の鉄心セットと互いに組み付けられ、各第１の切欠き部から第１の鉄心基部までの距離が各第２の切欠き部から第２の鉄心基部までの距離よりも短い構成としたことによって、変圧器の生産効率を大幅に向上させることができる。
【００３４】
このように、高圧コイル、低圧コイルの組立時には、長尺状の鉄心を基礎として、コイルを直接嵌め込んで位置決めすることができる。従って、鉄心には、錆が生じないように防錆剤を完全に塗布することができるため、変圧器の品質及び使用寿命を向上させることができる。
【００３５】
以上は、本考案の実施例に過ぎず、本考案の保護範囲を限定するものではない。当業者が本考案の主旨を逸脱しない範囲において行った変更や修正における等価の置換は、依然として本考案の実用新案登録請求の範囲に入るものである。
【符号の説明】
【００３６】
１’  対称二分割巻鉄心構造
１０’  上鉄心セット
２０’  下鉄心セット
３０’  コイル
Ｘ  切断／接合部
Ｔ  迅速組立式変圧器
１  非対称二分割巻鉄心構造
１０  第１の鉄心セット
１０ａ  第１の鉄心基部
１０ｂ  第１の鉄心接続部
１０ｃ  第１の切欠き部
１１  第１の外鉄心
１１１  第１の外鉄心連続部
１１２  第１の外鉄心突合せ接続部
１１２１  階段状段差
１２  第１の内鉄心
１２１  第１の内鉄心連続部
１２２  第１の内鉄心突合せ接続部
１２２１  階段状段差
２０  第２の鉄心セット
２０ａ  第２の鉄心基部
２０ｂ  第２の鉄心接続部
２０ｃ  第２の切欠き部
２１  第２の外鉄心
２１１  第２の外鉄心連続部
２１２  第２の外鉄心突合せ接続部
２１２１  階段状段差
２２  第２の内鉄心
２２１  第２の内鉄心連続部
２２２  第２の内鉄心突合せ接続部
２２２１  階段状段差
３０  帯板
４０  クランプ部材
５０  作業プラットフォーム
Ｃ  コイル構造
ｄ１、ｄ２  距離
【図１】
0003200723.tif 000003
【図２】
0003200723.tif 000004
【図３】
0003200723.tif 000005
【図４】
0003200723.tif 000006
【図５】
0003200723.tif 000007
【図６】
0003200723.tif 000008
【図７】
0003200723.tif 000009